(57)【要約】【課題】空気調和装置の室内機に収納されたドレンパンに対してメンテナンスを行う際の作業性を向上させる。【解決手段】下面が開口し、内部空間（S）が形成された箱状のケーシング（31）と、内部空間（S）に設けられた熱交換器（25）と、内部空間（S）の熱交換器（25）の下側に設けられたドレンパン（39）とを備え、ケーシング（31）の側壁の下面には、ドレンパン（39）を固定するための固定具（45a,45b）が設けられ、固定具（45a,45b）は、内部空間（S）に進出してドレンパン（39）の下面を支持する支持位置（Pa）と、ドレンパン（39）が内部空間（S）へ出入りできるように内部空間（S）から退避する退避位置（Pb）との間を移動可能に設けられている。【選択図】図４
2015090236.tif 000002
【特許請求の範囲】
【請求項１】
下面が開口し、内部空間（S）が形成された箱状のケーシング（31）と、
上記内部空間（S）に設けられた熱交換器（25）と、
上記内部空間（S）における上記熱交換器（25）の下側に設けられ、該熱交換器（25）で生じる凝縮水を貯留するドレンパン（39）とを備えた空気調和装置の室内機であって、
上記ケーシング（31）の側壁の下面には、上記ドレンパン（39）を固定するための固定具（45a,45b）が設けられ、
上記固定具（45a,45b）は、上記内部空間（S）に進出して上記ドレンパン（39）の下面を支持する支持位置（Pa）と、上記ドレンパン（39）が上記内部空間（S）へ出入りできるように上記内部空間（S）から退避する退避位置（Pb）との間を移動可能に設けられていることを特徴とする空気調和装置の室内機。
【請求項２】
請求項１において、
上記固定具（45a）は、上記ケーシング（31）の側壁の下面で回転することにより、上記支持位置（Pa）及び退避位置（Pb）の間を移動可能に設けられていると共に、上記ドレンパン（39）の下面に沿う板状の本体部（41）と、該本体部（41）から突出して上記ケーシング（31）の側壁に当接することにより該固定具（45a）の回転を規制する回転規制部（42a,42b）とを備えていることを特徴とする空気調和装置の室内機。
【請求項３】
請求項２において、
上記回転規制部（42a,42b）は、上記退避位置（Pb）において、上記ケーシング（31）の側壁の下面と上記本体部（41）とが積み重なるように上記本体部（41）に配置されていることを特徴とする空気調和装置の室内機。
【請求項４】
請求項２又は３において、
上記固定具（45a）は、上記ケーシング（31）の側壁の外側表面に当接する第１の上記回転規制部（42a）と、上記ケーシング（31）の側壁の内側表面に当接する第２の上記回転規制部（42b）とを備えていることを特徴とする空気調和装置の室内機。
【請求項５】
請求項２〜４の何れか１つにおいて、
上記固定具（45a）は、上記ケーシング（31）の側壁の下面に固定ねじ（43）で取り付けられ、該固定ねじ（43）が上記固定具（45a）の回転中心となっており、
上記固定ねじ（43）の軸部（43a）の長さは、上記回転規制部（42a,42b）の高さよりも長くなっていることを特徴とする空気調和装置の室内機。
【請求項６】
請求項１において、
上記固定具（45b）は、上記ケーシング（31）の側壁の下面に固定ねじ（43）で取り付けられ、
上記固定具（45b）には、上記固定ねじ（43）を挿通する長穴（H）が形成され、
上記固定具（45b）は、上記長穴（H）の延伸方向に沿って摺動することにより、上記支持位置（Pa）及び退避位置（Pb）の間を移動可能に設けられていることを特徴とする空気調和装置の室内機。
【発明の詳細な説明】
【技術分野】
【０００１】
本発明は、空気調和装置の室内機に関し、特に、空気調和装置の室内機に収容するドレンパンの固定構造に関するものである。
【背景技術】
【０００２】
空気調和装置を構成する室内機の内部には、例えば、室内空気を吸込口から吸い込んで吹出口に吹き出すファンと、ファンの周りに配置され、室内空気及び冷媒の間で熱交換を行う熱交換器と、熱交換器の下側に配置され、熱交換器で生じた凝縮水を貯留するドレンパンとが設けられている。
【０００３】
例えば、特許文献１には、中空状に形成して断熱性を持たせた露受皿（ドレンパン）と、吸込口からの空気流を熱交換器に向けて導くガイド部材と、吸込口及びファンの間に配置するベルマウスとを一体に形成した天井埋込型の空気調和装置が開示されている。
【先行技術文献】
【特許文献】
【０００４】
【特許文献１】特開平１１−２８１０８５号公報
【発明の概要】
【発明が解決しようとする課題】
【０００５】
ところで、ドレンパンを断熱性に優れた発泡スチロールで形成する場合には、ドレンパンを成形する際に固定具の一部を成形体に挿入して、ドレンパンと固定具とを一体化することにより、部品点数を少なくすることがある。このような構成のドレンパンでは、ドレンパンから突出する各固定具の一部を室内機のケーシングに固定ねじでねじ止めすることにより、室内機の内部にドレンパンを固定することができる。しかしながら、例えば、天井に設置された空気調和装置の室内機内のドレンパンに対してメンテナンスを行う際には、メンテナンスを行う保守業者が複数の固定ねじを完全に取り外すために天井を見上げた状態で長時間の作業を行う必要があるので、改善の余地がある。なお、発泡ポリスチロール製のドレンパンと固定具とが一体化されたものでは、外力が加わった際に固定具周辺に応力が集中することにより、ドレンパンが破損するおそれがある。
【０００６】
本発明は、かかる点に鑑みてなされたものであり、その目的とするところは、空気調和装置の室内機に収納されたドレンパンに対してメンテナンスを行う際の作業性を向上させることにある。
【課題を解決するための手段】
【０００７】
上記目的を達成するために、本発明は、ケーシング（31）の内部空間（S）側に進出してドレンパン（39）の下面を支持する支持位置（Pa）と、ドレンパン（39）が内部空間（S）へ出入りできるように内部空間（S）から退避する退避位置（Pb）との間を移動可能な固定具（45a,45b）をケーシング（31）の側壁の下面に設けるようにしたものである。
【０００８】
具体的に第１の発明は、下面が開口して内部空間（S）が形成された箱状のケーシング（31）と、上記内部空間（S）に設けられた熱交換器（25）と、上記内部空間（S）における上記熱交換器（25）の下側に設けられ、該熱交換器（25）で生じる凝縮水を貯留するドレンパン（39）とを備えた空気調和装置の室内機であって、上記ケーシング（31）の側壁の下面には、上記ドレンパン（39）を固定するための固定具（45a,45b）が設けられ、上記固定具（45a,45b）は、上記内部空間（S）に進出して上記ドレンパン（39）の下面を支持する支持位置（Pa）と、上記ドレンパン（39）が上記内部空間（S）へ出入りできるように上記内部空間（S）から退避する退避位置（Pb）との間を移動可能に設けられていることを特徴とするものである。
【０００９】
上記第１の発明では、下面に開口する箱状のケーシング（31）の内部空間（S）には、熱交換器（25）と、熱交換器（25）で生じる凝縮水を熱交換器（25）の下側で貯留するドレンパン（39）とが設けられている。そして、ケーシング（31）の側壁の下面には、ドレンパン（39）を固定するための固定具（45a,45b）が設けられている。ここで、固定具（45a,45b）は、内部空間（S）側に進出してドレンパン（39）の下面を支持する支持位置（Pa）と、ドレンパン（39）が内部空間（S）へ出入りできるように内部空間（S）から退避する退避位置（Pb）との間を移動可能に構成されている。そのため、空気調和装置（10）の室内機（12）に収納されたドレンパン（39）に対してメンテナンスを行う際には、固定具（45a,45b）を支持位置（Pa）から退避位置（Pb）に移動させることにより、ドレンパン（39）が内部空間（S）へ出入りできるようになる。これにより、ケーシング（31）の側壁から固定具（45a,45b）を完全に取り外さなくとも、空気調和装置（10）の室内機（12）からドレンパン（39）を速やかに取り出すことができるので、空気調和装置（10）の室内機（12）に収納されたドレンパン（39）に対してメンテナンスを行う際の作業性を向上させることができる。
【００１０】
第２の発明は、上記第１の発明において、上記固定具（45a）は、上記ケーシング（31）の側壁の下面で回転することにより、上記支持位置（Pa）及び退避位置（Pb）の間を移動可能に設けられていると共に、上記ドレンパン（39）の下面に沿う板状の本体部（41）と、該本体部（41）から突出して上記ケーシング（31）の側壁に当接することにより該固定具（45a）の回転を規制する回転規制部（42a,42b）とを備えていることを特徴とするものである。
【００１１】
上記第２の発明では、固定具（45a）は、ケーシング（31）の側壁の下面で回転することにより、内部空間（S）側に進出してドレンパン（39）の下面を支持する支持位置（Pa）と、内部空間（S）から退避する退避位置（Pb）との間を移動可能に設けられている。そのため、空気調和装置（10）の室内機（12）に収納されたドレンパン（39）に対してメンテナンスを行う際には、固定具（45a）を支持位置（Pa）から退避位置（Pb）に回転により移動させることにより、ドレンパン（39）が内部空間（S）へ出入りできるようになる。さらに、固定具（45a）は、ドレンパン（39）の下面に沿う板状の本体部（41）と、本体部（41）から突出する回転規制部（42a,42b）とを備えている。そのため、回転により移動可能な固定具（45a）に設けられた回転規制部（42a,42b）がケーシング（31）の側壁に当接することにより、ケーシング（31）の側壁の下面に沿う面内における固定具（45a）の不要な回転を抑制することができる。
【００１２】
第３の発明は、上記第２の発明において、上記回転規制部（42a,42b）は、上記退避位置（Pb）において、上記ケーシング（31）の側壁の下面と上記本体部（41）とが積み重なるように上記本体部（41）に配置されていることを特徴とするものである。
【００１３】
上記第３の発明では、回転規制部（42a,42b）は、退避位置（Pb）において、ケーシング（31）の側壁の下面と本体部（41）とが積み重なるように本体部（41）に配置されている。そのため、固定具（45a）は、退避位置（Pb）においても、その本体部（41）とケーシング（31）の側壁の下面とが積み重なった状態で、例えば、固定ねじ（43）でケーシング（31）の側壁の下面に確実に固定されることになる。これにより、固定具（45a）の退避位置（Pb）において、ケーシング（31）の内部空間（S）への固定具（45a）の進入を抑制することができるので、ケーシング（31）の内部空間（S）からドレンパン（39）を容易に取り出せることができる。
【００１４】
第４の発明は、上記第２又は第３の発明において、上記固定具（45a）は、上記ケーシング（31）の側壁の外側表面に当接する第１の上記回転規制部（42a）と、上記ケーシング（31）の側壁の内側表面に当接する第２の上記回転規制部（42b）とを備えていることを特徴とするものである。
【００１５】
上記第４の発明では、固定具（45a）は、本体部（41）からそれぞれ突出する第１及び第２の回転規制部（42a,42b）を備えている。そのため、回転により移動可能な固定具（45a）に設けられた第１の回転規制部（42a）がケーシング（31）の側壁の外側表面に当接することにより、ケーシング（31）の側壁の下面に沿う面内における固定具（45a）の一方向（例えば、時計回りの方向）の不要な回転を抑制することができる。また、回転により移動可能な固定具（45a）に設けられた第２の回転規制部（42b）がケーシング（31）の側壁の内側表面に当接することにより、ケーシング（31）の側壁の下面に沿う面内における固定具（45a）の他方向（例えば、反時計回りの方向）の不要な回転を抑制することができる。
【００１６】
第５の発明は、上記第２〜第４の何れか１つにおいて、上記固定具（45a）は、上記ケーシング（31）の側壁の下面に固定ねじ（43）で取り付けられ、該固定ねじ（43）が上記固定具（45a）の回転中心となっており、上記固定ねじ（43）の軸部（43a）の長さは、上記回転規制部（42a,42b）の高さよりも長くなっていることを特徴とするものである。
【００１７】
上記第５の発明では、固定具（45a）は、ケーシング（31）の側壁の下面に回転中心となる固定ねじ（43）で取り付けられ、固定ねじ（43）の軸部（43a）の長さは、回転規制部（42a,42b）の高さよりも長くなっている。そのため、ケーシング（31）の側壁の下面に取り付けられた固定ねじ（43）を回転規制部（42a,42b）の高さ以上に緩めることにより、固定具（45a）が固定ねじ（43）を中心に回転可能になる。また、固定具（45a）が第１及び第２の回転規制部（42a,42b）を備えている場合には、固定ねじ（43）を緩める又は締める際に固定具（45a）の第１又は第２の回転規制部（42a,42b）がケーシング（31）の側壁に当接することにより、固定具（45a）の不要な回転による固定具（45a）のずれを抑制することができる。そのため、固定ねじ（43）を緩める又は締める際の固定具（45a）のずれにより発生が懸念されるドレンパン（39）の落下を抑制することができる。
【００１８】
第６の発明は、上記第１の発明において、上記固定具（45b）は、上記ケーシング（31）の側壁の下面に固定ねじ（43）で取り付けられ、上記固定具（45b）には、上記固定ねじ（43）を挿通する長穴（H）が形成され、上記固定具（45b）は、上記長穴（H）の延伸方向に沿って摺動することにより、上記支持位置（Pa）及び退避位置（Pb）の間を移動可能に設けられていることを特徴とするものである。
【００１９】
上記第６の発明では、固定具（45b）は、それに形成された長穴（H）の延伸方向に沿って摺動することにより、内部空間（S）側に進出してドレンパン（39）の下面を支持する支持位置（Pa）と、内部空間（S）から退避する退避位置（Pb）との間を移動可能に設けられている。そのため、空気調和装置（10）の室内機（12）に収納されたドレンパン（39）に対してメンテナンスを行う際には、固定具（45b）を支持位置（Pa）から退避位置（Pb）に移動させることにより、ドレンパン（39）が内部空間（S）へ出入りできるようになる。
【発明の効果】
【００２０】
本発明では、ケーシング（31）の内部空間（S）側に進出してドレンパン（39）の下面を支持する支持位置（Pa）と、ドレンパン（39）が内部空間（S）へ出入りできるように内部空間（S）から退避する退避位置（Pb）との間を移動可能な固定具（45a,45b）がケーシング（31）の側壁の下面に設けられている。そのため、空気調和装置（10）の室内機（12）に収納されたドレンパン（39）に対してメンテナンスを行う際には、固定具（45a,45b）を支持位置（Pa）から退避位置（Pb）に移動させることにより、ドレンパン（39）がケーシング（31）の内部空間（S）へ出入りできるようになる。したがって、本発明によれば、ケーシング（31）の側壁から固定具（45a,45b）を完全に取り外さなくとも、空気調和装置（10）の室内機（12）からドレンパン（39）を速やかに取り出すことができるので、空気調和装置（10）の室内機（12）に収納されたドレンパン（39）に対してメンテナンスを行う際の作業性を向上させることができる。
【図面の簡単な説明】
【００２１】
【図１】実施形態１に係る空気調和装置の概略構成を示す冷媒回路図である。
【図２】実施形態１に係る空気調和装置を構成する室内機の内部を下方から見た平面図である。
【図３】図２中のIII−III線に沿った室内機の断面図である。
【図４】図２中の領域Ａを外方から見た室内機を構成する固定具の支持位置における斜視図である。
【図５】図４中のV−V線に沿った固定具及びその近傍の断面図である。
【図６】実施形態１に係る固定具の退避位置における図４に相当する斜視図である。
【図７】図６中のVII−VII線に沿った固定具及びその近傍の断面図である。
【図８】実施形態２に係る空気調和装置を構成する固定具の斜視図である。
【発明を実施するための形態】
【００２２】
以下、本発明の実施形態を図面に基づいて詳細に説明する。なお、本発明は、以下の各実施形態に限定されるものではない。
【００２３】
《発明の実施形態１》
図１〜図７は、本発明に係る空気調和装置の室内機の実施形態１を示している。ここで、図１は、本実施形態の空気調和装置（10）の概略構成を示す冷媒回路図である。
【００２４】
本実施形態の空気調和装置（10）について、図１を参照しながら説明する。
【００２５】
＜空気調和装置の構成＞
空気調和装置（10）は、室外機（11）と、室外機（11）に液側連絡配管（13）及びガス側連絡配管（14）を介して接続された室内機（12）とを備えている。ここで、空気調和装置（10）では、室外機（11）、室内機（12）、液側連絡配管（13）及びガス側連絡配管（14）により冷媒回路（20）が構成されている。
【００２６】
冷媒回路（20）には、圧縮機（21）、四方切換弁（22）、室外熱交換器（23）、膨張弁（24）及び室内熱交換器（25）が設けられている。ここで、圧縮機（21）、四方切換弁（22）、室外熱交換器（23）及び膨張弁（24）は、室外機（11）に収容されている。そして、室外機（11）には、室外熱交換器（23）へ室外空気を供給するための室外ファン（15）が設けられている。一方、室内熱交換器（25）は、室内機（12）に収容されている。そして、室内機（12）には、室内熱交換器（25）へ室内空気を供給するための室内ファン（16）が設けられている。
【００２７】
冷媒回路（20）は、冷媒が充填された閉回路である。ここで、冷媒回路（20）において、圧縮機（21）は、その吐出側が四方切換弁（22）の第１のポートに接続されていると共に、その吸入側が四方切換弁（22）の第２のポートに接続されている。また、冷媒回路（20）では、四方切換弁（22）の第３のポートから第４のポートへ向かって順に、室外熱交換器（23）、膨張弁（24）及び室内熱交換器（25）が配置されている。
【００２８】
圧縮機（21）は、スクロール型又はロータリ型の全密閉型圧縮機である。また、四方切換弁（22）は、第１のポートが第３のポートと連通し且つ第２のポートが第４のポートと連通する第１状態（図１に実線で示す状態）と、第１のポートが第４のポートと連通し且つ第２のポートが第３のポートと連通する第２状態（図１に破線で示す状態）とに切り換わる。ここで、膨張弁（24）は、いわゆる電子膨張弁である。
【００２９】
室外熱交換器（23）は、室外空気を冷媒と熱交換させる。一方、室内熱交換器（25）は、室内空気を冷媒と熱交換させる。
【００３０】
＜空気調和装置の冷房運転＞
空気調和装置（10）は、冷房運転を行う。ここで、冷房運転中には、四方切換弁（22）が第１状態に設定される。また、冷房運転中には、室外ファン（15）及び室内ファン（16）が運転される。
【００３１】
冷媒回路（20）では、冷凍サイクルが行われる。具体的に、圧縮機（21）から吐出された冷媒は、四方切換弁（22）を通って室外熱交換器（23）へ流入し、室外空気へ放熱して凝縮する。室外熱交換器（23）から流出した冷媒は、膨張弁（24）を通過する際に膨張してから室内熱交換器（25）へ流入し、室内空気から吸熱して蒸発する。室内熱交換器（25）から流出した冷媒は、四方切換弁（22）を通過後に圧縮機（21）へ吸入されて圧縮される。室内機（12）は、室内熱交換器（25）において冷却された空気を室内へ供給する。
【００３２】
＜空気調和装置の暖房運転＞
空気調和装置（10）は、暖房運転を行う。ここで、暖房運転中には、四方切換弁（22）が第２状態に設定される。また、暖房運転中には、室外ファン（15）及び室内ファン（16）が運転される。
【００３３】
冷媒回路（20）では、冷凍サイクルが行われる。具体的に、圧縮機（21）から吐出された冷媒は、四方切換弁（22）を通って室内熱交換器（25）へ流入し、室内空気へ放熱して凝縮する。室内熱交換器（25）から流出した冷媒は、膨張弁（24）を通過する際に膨張してから室外熱交換器（23）へ流入し、室外空気から吸熱して蒸発する。室外熱交換器（23）から流出した冷媒は、四方切換弁（22）を通過後に圧縮機（21）へ吸入されて圧縮される。室内機（12）は、室内熱交換器（25）において加熱された空気を室内へ供給する。
【００３４】
−室内機−
本実施形態の室内機（12）の具体的な構成について、図２及び図３を参照しながら説明する。ここで、図２は、室内機（12）の内部を下方から見た平面図である。また、図３は、図２中のIII−III線に沿った室内機（12）の断面図である。
【００３５】
室内機（12）は、各種構成機器を収容する内部空間（S）が形成されたケーシング（31）と、ケーシング（31）の下側に配置された化粧パネル（32）とを備えている。
【００３６】
ケーシング（31）は、下面が下方から見て略長方形状に開口した箱状体である。また、ケーシング（31）は、空調室の天井壁（C）に形成された開口に収容され、固定金具（不図示）を介して天井壁（C）に固定されている。
【００３７】
化粧パネル（32）は、ケーシング（31）の開口及び天井壁（C）の開口を覆うように、ケーシング（31）の下端部に固定されている。また、化粧パネル（32）は、下方から見て略長方形状の板状体である。また、化粧パネル（32）は、その長手方向に沿って互いに離間するように配設され且つ空調室内の空気を吸い込む２つの吸込口（33）と、２つの吸込口（33）を挟んで互いに平行に配設され、ケーシング（31）内から空調室内に空気を吹き出す２つの吹出口（34）とを備えている。
【００３８】
各吸込口（33）は、略正方形状の開口である。また、各吹出口（34）は、化粧パネル（32）の各長辺に沿って細長く延びる略長方形状の開口である。
【００３９】
吸込口（33）には、吸込グリル（35）と、吸込口（33）から吸い込まれた空気中の塵埃を除去するためのフィルタ（36）とが設けられている。
【００４０】
各吹出口（34）には、吹出口（34）の長手方向に延びる軸の周りに揺動するように構成されたフラップ（37）が設けられている。そして、各吹出口（34）では、フラップ（37）の揺動により、吹出口（34）から空調室内へ吹き出される空気の風向を変えることができる。
【００４１】
ケーシング（31）の内部空間（S）には、主に、空調室内の空気を各吸込口（33）を通じて内部空間（S）に吸い込んで外周方向に吹き出させる２つの室内ファン（16）と、２つの室内ファン（16）を囲むように配置された略環状の室内熱交換器（25）とが設けられている。
【００４２】
ケーシング（31）の天板（31a）には、取付部材を介して室内熱交換器（25）が吊り下げられた状態で支持されている。
【００４３】
ケーシング（31）の内部空間（S）における室内熱交換器（25）の下側には、冷房運転時に室内熱交換器（25）で空気中の水分が凝縮して生じる凝縮水を貯留する発泡スチロール製などのドレンパン（39）が設けられている。
【００４４】
ドレンパン（39）は、下方から見て略長方形状の板状体である。ここで、ドレンパン（39）には、２つの室内ファン（16）と２つの吸込口（33）とをそれぞれ連通させる２つの開口が略円形状に形成されている。また、ドレンパン（39）の上側の周縁部には、凝縮水を一箇所に集めるように底面が傾斜した溝が略環状に形成されている。
【００４５】
室内ファン（16）の各吸込口（33）側には、各吸込口（33）から吸い込まれた空気をケーシング（31）内に案内するためのベルマウス（38）が設けられている。
【００４６】
ケーシング（31）の側壁の下面には、ドレンパン（39）を固定するための４つの固定具（45a）が設けられている。なお、図３では、ケーシング（31）の側壁の下端部を平板状に模式的に図示しているが、実際のケーシング（31）の側壁の下端部は、後述する図４〜図７に示すように、外側に折り返されて、側壁の下面に対応する底面を有する断面Ｕ字状に形成されている。
【００４７】
−固定具−
本実施形態の固定具（45a）の具体的な構成について、図４〜図７を参照しながら説明する。ここで、図４は、図２中の領域Ａを外方から見た固定具（45a）の支持位置（Pa）における斜視図である。また、図５は、図４中のV−V線に沿った固定具（45a）及びその近傍の断面図である。また、図６は、固定具（45a）の退避位置における図４に相当する斜視図である。また、図７は、図６中のVII−VII線に沿った固定具（45a）及びその近傍の断面図である。
【００４８】
固定具（45a）は、ケーシング（31）の側壁の下面（図２、図４及び図６中のハッチング部）に回転可能に固定ねじ（43）で取り付けられている。また、固定具（45a）は、ドレンパン（39）の下面に沿うように設けられた板状の本体部（41）と、本体部（41）から直立状態に突出するようにそれぞれ設けられた第１及び第２の回転規制部（42a,42b）とを備えている。
【００４９】
本体部（41）は、６つの辺（Ea〜Ef）を有し、長方形の1つの角が切り欠かれて２つの辺（Ec,Ed）となった形状になっている。ここで、本体部（41）の隣り合う辺（Ee）及び辺（Ef）で規定される長方形状の領域は、ドレンパン（39）の下面を支持する部分になっている。また、本体部（41）の隣り合う辺（Ea）及び辺（Eb）の角部には、固定具（45a）の回転中心となる固定ねじ（43）を挿通する貫通孔が形成されている。これにより、後述するように、固定ねじ（43）を中心に固定具（45a）を９０度回転させるだけで、支持位置（Pa）及び退避位置（Pb）の間で固定具（45a）を移動させることができる。
【００５０】
第１の回転規制部（42a）は、辺（Eb）の一部に設けられ、ケーシング（31）の側壁の外側表面に当接することにより、固定具（45a）の反時計回り方向の回転を規制するように構成されている。
【００５１】
第２の回転規制部（42b）は、辺（Ed）の全体に設けられ、ケーシング（31）の側壁の内側表面に当接することにより、固定具（45a）の時計回り方向の回転を規制するように構成されている。
【００５２】
ここで、第２の回転規制部（42b）の突出高さは、第１の回転規制部（42a）の突出高さよりも低くなっている。これにより、ケーシング（31）の側壁の下面に取り付けられた固定ねじ（43）を第２の回転規制部（42b）の高さ相当分だけ緩めることにより、固定具（45a）を回転により支持位置（Pa）から退避位置（Pb）に移動させることができる。
【００５３】
固定ねじ（43）は、例えば、タッピングねじにより構成され、第１及び第２の回転規制部（42a,42b）の突出高さよりも長い軸部（43a）を備えている。
【００５４】
上記構成の固定具（45a）は、ケーシング（31）の側壁の下面で９０度回転することにより、ケーシング（31）の内部空間（S）に進出してドレンパン（39）の下面を支持する支持位置（Pa）と、ドレンパン（39）が内部空間（S）へ出入りできるように内部空間（S）から退避する退避位置（Pb）との間を移動可能になっている。
【００５５】
また、第１及び第２の回転規制部（42a,42b）は、退避位置（Pb）において、ケーシング（31）の側壁の下面と本体部（41）とが積み重なるように本体部（41）に配置されている。
【００５６】
―実施形態の効果―
以上説明したように、本実施形態の空気調和装置（10）の室内機（12）によれば、下面に開口する箱状のケーシング（31）の内部空間（S）には、室内熱交換器（25）と、室内熱交換器（25）で生じる凝縮水を室内熱交換器（25）の下側で貯留するドレンパン（39）とが設けられている。そして、ケーシング（31）の側壁の下面には、ドレンパン（39）を固定するための固定具（45a）が設けられている。ここで、固定具（45a）は、ケーシング（31）の側壁の下面で回転することにより、内部空間（S）側に進出してドレンパン（39）の下面を支持する支持位置（Pa）と、ドレンパン（39）が内部空間（S）へ出入りできるように内部空間（S）から退避する退避位置（Pb）との間を移動可能に構成されている。そのため、空気調和装置（10）の室内機（12）に収納されたドレンパン（39）に対してメンテナンスを行う際には、固定具（45a）を支持位置（Pa）から退避位置（Pb）に回転により移動させることにより、ドレンパン（39）が内部空間（S）へ出入りできるようになる。これにより、ケーシング（31）の側壁から固定具（45a,45b）を完全に取り外さなくとも、空気調和装置（10）の室内機（12）からドレンパン（39）を速やかに取り出すことができるので、空気調和装置（10）の室内機（12）に収納されたドレンパン（39）に対してメンテナンスを行う際の作業性を向上させることができる。
【００５７】
また、本実施形態の空気調和装置（10）の室内機（12）によれば、第１及び第２の回転規制部（42a,42b）は、退避位置（Pb）において、ケーシング（31）の側壁の下面と本体部（41）とが積み重なるように本体部（41）に配置されている。そのため、固定具（45a）は、退避位置（Pb）においても、その本体部（41）とケーシング（31）の側壁の下面とが積み重なった状態で、固定ねじ（43）でケーシング（31）の側壁の下面に確実に固定されることになる。これにより、固定具（45a）の退避位置（Pb）において、ケーシング（31）の内部空間（S）への固定具（45a）の進入を抑制することができるので、ケーシング（31）の内部空間（S）からドレンパン（39）を容易に取り出せることができる。
【００５８】
また、本実施形態の空気調和装置（10）の室内機（12）によれば、固定具（45a）は、ドレンパン（39）の下面に沿う板状の本体部（41）と、本体部（41）から突出する第１及び第２の回転規制部（42a,42b）とを備えている。そのため、回転により移動可能な固定具（45a）に設けられた第１の回転規制部（42a）がケーシング（31）の側壁の外側表面に当接することにより、ケーシング（31）の側壁の下面に沿う面内における固定具（45a）の反時計回りの方向の不要な回転を抑制することができる。また、回転により移動可能な固定具（45a）に設けられた第２の回転規制部（42b）がケーシング（31）の側壁の内側表面に当接することにより、ケーシング（31）の側壁の下面に沿う面内における固定具（45a）の時計回りの方向の不要な回転を抑制することができる。
【００５９】
また、本実施形態の空気調和装置（10）の室内機（12）によれば、固定具（45a）は、ケーシング（31）の側壁の下面に回転中心となる固定ねじ（43）で取り付けられ、固定ねじ（43）の軸部（43a）の長さは、第１及び第２の回転規制部（42a,42b）の高さよりも長くなっている。そのため、ケーシング（31）の側壁の下面に取り付けられた固定ねじ（43）を第１及び第２の回転規制部（42a,42b）の高さ以上に緩めることにより、固定具（45a）が固定ねじ（43）を中心に回転可能になる。また、固定ねじ（43）を緩める又は締める際に固定具（45a）の第１又は第２の回転規制部（42a,42b）がケーシング（31）の側壁に当接することにより、固定具（45a）の不要な回転による固定具（45a）のずれを抑制することができる。そのため、固定ねじ（43）を緩める又は締める際の固定具（45a）のずれにより発生が懸念されるドレンパン（39）の落下を抑制することができる。
【００６０】
また、本実施形態の空気調和装置（10）の室内機（12）によれば、ドレンパン（39）とドレンパン（39）を固定するための固定具（45a）とが別体であるので、ドレンパン（39）が発泡ポリスチロール製であっても、固定具（45a）に起因するドレンパン（39）の破損を抑制することができる。
【００６１】
なお、本実施形態では、第２の回転規制部（42b）の突出高さが第１の回転規制部（42a）の突出高さよりも低く形成された固定具（45a）を例示したが、固定具の回転規制部の突出高さは、第２の回転規制部の突出高さが第１の回転規制部の突出高さよりも高く形成されていても、第２の回転規制部の突出高さが第１の回転規制部の突出高さと一致していてもよい。
【００６２】
また、本実施形態では、ドレンパン（39）の下面を支持する部分が長方形状に形成された固定具（45a）を例示したが、固定具におけるドレンパン（39）の下面を支持する部分は、長方形状以外の形状であってもよい。
【００６３】
また、本実施形態では、固定具（45a）の本体部（41）の辺（Eb,Ed）にそれぞれ形成された第１及び第２の回転規制部（42a,42b）を例示したが、これらの回転規制部は、例えば、固定具の本体部の一部を切り起こすなどして、本体部の辺以外に形成されていてもよい。
【００６４】
《発明の実施形態２》
図８は、本実施形態の空気調和装置を構成する固定具（45b）の斜視図である。なお、以下の実施形態において、図１〜図７と同じ部分については同じ符号を付して、その詳細な説明を省略する。
【００６５】
上記実施形態１では、ケーシング（31）の側壁の下面に回転可能に設けられた固定具（45a）を備えた室内機（12）を例示したが、本実施形態では、ケーシング（31）の側壁の下面に摺動可能に設けられた固定具（45b）を備えた室内機を例示する。
【００６６】
本実施形態の空気調和装置を構成する室内機は、ケーシング（31）と、化粧パネル（32）と、室内熱交換器（25）と、ドレンパン（39）と、ケーシング（31）の側壁の下面に設けられ、ドレンパン（39）を固定するための４つの固定具（45b）とを備えている。
【００６７】
固定具（45b）は、ケーシング（31）の側壁の下面（図８中のハッチング部）に摺動可能に固定ねじ（43）で取り付けられている。また、固定具（45b）には、固定ねじ（43）を挿通する長穴（H）が形成されている。そのため、固定具（45b）は、ケーシング（31）の側壁の下面で長穴（H）の延伸方向に沿って摺動することにより、ケーシング（31）の内部空間（S）に進出してドレンパン（39）の下面を支持する支持位置（Pa）と、ドレンパン（39）が内部空間（S）へ出入りできるように内部空間（S）から退避する退避位置（Pb）との間を移動可能になっている。
【００６８】
―実施形態の効果―
以上説明したように、本実施形態の空気調和装置の室内機によれば、下面に開口する箱状のケーシング（31）の内部空間（S）には、室内熱交換器（25）と、熱交換器（25）で生じる凝縮水を室内熱交換器（25）の下側で貯留するドレンパン（39）とが設けられている。そして、ケーシング（31）の側壁の下面には、ドレンパン（39）を固定するための固定具（45b）が設けられている。ここで、固定具（45b）は、それに形成された長穴（H）の延伸方向に沿って摺動することにより、内部空間（S）側に進出してドレンパン（39）の下面を支持する支持位置（Pa）と、ドレンパン（39）が内部空間（S）へ出入りできるように内部空間（S）から退避する退避位置（Pb）との間を移動可能に構成されている。そのため、空気調和装置の室内機に収納されたドレンパン（39）に対してメンテナンスを行う際には、固定具（45b）を支持位置（Pa）から退避位置（Pb）に移動させることにより、ドレンパン（39）が内部空間（S）へ出入りできるようになる。これにより、ケーシング（31）の側壁から固定具（45b）を完全に取り外さなくとも、空気調和装置の室内機からドレンパン（39）を速やかに取り出すことができるので、空気調和装置の室内機に収納されたドレンパン（39）に対してメンテナンスを行う際の作業性を向上させることができる。
【００６９】
なお、本実施形態では、ケーシング（31）の側壁の下面での摺動により移動可能な固定具（45b）を例示したが、固定具（45b）は、その回転又は摺動と回転との組み合わせにより、支持位置（Pa）と、内部空間（S）から退避する退避位置との間を移動可能に設けられていてもよい。
【００７０】
《その他の実施形態》
上記各実施形態では、天井埋込型の室内機を例示したが、本発明は、天吊自在型の室内機を含む天井に設置される室内機全般にも適用することができる。
【００７１】
なお、上記各実施形態は、本質的に好ましい例示であって、本発明、その適用物又はその用途の範囲を制限することを意図するものではない。
【産業上の利用可能性】
【００７２】
以上説明したように、本発明は、空気調和装置の室内機に収納されたドレンパンに対してメンテナンスを行う際の作業性を向上させることができるので、天井に設置された空気調和装置の室内機について有用である。
【符号の説明】
【００７３】
Ｈ        長穴
Ｐａ      支持位置
Ｐｂ      退避位置
Ｓ        内部空間
１０      空気調和装置
１２      室内機
２５      室内熱交換器
３１      ケーシング
３９      ドレンパン
４１      本体部
４２ａ    第１の回転規制部
４２ｂ    第２の回転規制部
４３      固定ねじ
４３ａ    軸部
４５ａ，４５ｂ    固定具
【図１】
2015090236.tif 000003
【図２】
2015090236.tif 000004
【図３】
2015090236.tif 000005
【図４】
2015090236.tif 000006
【図５】
2015090236.tif 000007
【図６】
2015090236.tif 000008
【図７】
2015090236.tif 000009
【図８】
2015090236.tif 000010